(57)【要約】【課題】遮光性シートを折り曲げて設置しなければならない場所であっても、より簡単に短時間で設置することが可能な雑草防止板を提供することである。【解決手段】図５は、本発明にかかる雑草防止板３００がＵ字溝２４００に設置されたときの外観斜視図である。当該雑草防止板３００は、斜線部に示される遮光性シートと、白い部分で示されるベース板とを備える。ベース板は、二つに折り曲げられた金属板である。遮光性シートは、二つに折り曲げられて当該ベース板に貼り付けられる。このようにして作成された雑草防止板３００は、接着剤およびアンカーボルトにより図５に示されるようにＵ字溝２４００に固定される。これにより、Ｕ字溝２４００とコンクリート面２４０５との間に雑草が発生することが防止される。また、当該雑草防止番３００は、複数がつなげられて使用されることで、長いＵ字溝に対しても適用することができる。【選択図】　　　　図４
2004027525.tif 000002
【特許請求の範囲】
【請求項１】
地面上に設置されており、その断面が略垂直に屈曲した屈曲部を有する構造物に対して施工され、当該構造物の屈曲部の接合隙間から発生する雑草を防止するための雑草防止板であって、
１枚の金属板を略垂直に折り曲げて構成され、前記構造物上に載置されたときにその一方主面が当該構造物の屈曲部を形成する面に倣った状態になるベース板と、
前記ベース板の一方主面側に貼り合わされる遮光性シートとを備え、
前記遮光性シートが、前記構造物に接しつつ、前記構造物の接合隙間を塞ぐように載置される雑草防止板。
【請求項２】
各ベース板の折り目が一直線になるように、複数が連結した状態で使用されることを特徴とする、請求項１に記載の雑草防止板。
【請求項３】
前記遮光性シートの形状は、連結された状態で遮光性シート同士の継ぎ目が前記ベース板の下に位置する形状であることを特徴とする、請求項２に記載の雑草防止板。
【請求項４】
連結された状態で隣接する遮光性シートの一方がベース板の継ぎ目から他方の遮光性シート方向に進出し、連結された状態で隣接する遮光性シートの他方が当該ベース板の継ぎ目から一方の遮光性シートが進出した分だけ後退していることを特徴とする、請求項３に記載の雑草防止板。
【請求項５】
前記遮光性シートは、前記ベース板の折り目から見て垂直方向に当該ベース板から進出した糊しろ部分を備えていることを特徴とする、請求項２に記載の雑草防止板。
【請求項６】
連結された状態で隣接する糊しろ部分同士の継ぎ目を覆うための舌部が、前記糊しろ部分に設けられていることを特徴とする、請求項５に記載の雑草防止板。
【請求項７】
前記遮光性シートは、折り曲げられた前記ベース板の山側に貼りつけられることを特徴とする、請求項１に記載の雑草防止板。
【請求項８】
前記遮光性シートは、折り曲げられた前記ベース板の谷側に貼りつけらえれることを特徴とする、請求項１に記載の雑草防止板。
【請求項９】
地面上に設置されており、その断面が略垂直に屈曲した屈曲部を有する構造物に対して施工され、当該構造物の屈曲部の接合隙間から発生する雑草を防止するための雑草防止板であって、
前記屈曲部の角は、面取りされており、
１枚の金属板により構成され、前記屈曲部を形成する一方の面上に載置される第１のベース板と、
１枚の金属板により構成され、前記屈曲部を形成する他方の面上に載置される第２のベース板と、
前記第１のベース板と前記第２のベース板とを接合する可撓性シートと、
前記第１のベース板の一方側面側に貼り合わされる遮光性シートとを備え、
前記遮光性シートが前記構造物の接合隙間を塞ぎ、前記可撓性シートが前記構造物の面取りされた屈曲部に倣って前記構造物に貼り合わされて載置される雑草防止板。
【発明の詳細な説明】
【０００１】
【発明の属する技術分野】
本発明は、雑草防止板に関する発明であって、より特定的には、地面上に設置されており、その断面が略垂直に屈曲した屈曲部を有する構造物に対して施工され、当該構造物の屈曲部の接合隙間から発生する雑草を防止するための雑草防止板に関する発明である。
【０００２】
【従来の技術】
図２４は、一般的なＵ字溝を含んだ構造物の断面を示した図である。図２４に示される構造物は、Ｕ字溝２４００、コンクリート面２４０５および砂利２４１０を備える。当該コンクリート面と２４０５当該Ｕ字溝２４００の接合部分には、僅かな隙間が存在する。このような隙間が露出した状態で長期間放置されると、当該隙間に雑草の種子が入りこんで、大量の雑草が発生する。そして、雑草が大量発生すると、コンクリート面２４０５やＵ字溝２４００が圧迫されて、これらの破損につながるおそれがある。
【０００３】
そこで、このような雑草の大量発生を防止する方法として、図２５に示されるように、Ｕ字溝２４００に遮光性のシート（以下、遮光性シートと称す）２５００を貼りつける雑草防止方法がある。当該雑草防止方法は、ポリエステル等の遮光性シート２５００を二つに折り曲げて接着剤でＵ字溝２４００に貼り付ける方法である。これにより、Ｕ字溝２４００とコンクリート面２４０５との隙間に雑草の種子や光が入りこまなくなり、雑草の発生が防止される。
【０００４】
また、図２６は、一般的なブロック塀を含んだ構造物の断面を示した図である。図２６に示される構造物は、コンクリート塀２６００、コンクリート面２６０５および砂利２６１０とを備える。図２６に示される構造物においても、コンクリート塀２６００とコンクリート面２６０５との接合部の隙間に雑草が発生する。このような雑草の発生を防止する方法として、コンクリート塀２６００とコンクリート面２６０５との接合部に、図２７に示されるように遮光性シート２７００を貼りつける方法が存在する。これにより、上記Ｕ字溝２６００の場合と同様に、雑草の発生を防止することができる。
【０００５】
また、図２８は、一般的な縁石を含んだ構造物の断面を示した図である。図２８に示される構造物は、縁石２８００、コンクリート面２８０５および砂利２８１０を備える。図２８に示される構造物においても、縁石２８００とコンクリート面２８０５との接合部の隙間に雑草が発生する。このような雑草の発生を防止する方法として、図２９に示されるように遮光性シート２９００を貼りつける方法が存在する。これにより、上記Ｕ字溝２６００の場合と同様に、雑草の発生を防止することができる。
【０００６】
【発明が解決しようとする課題】
しかし、上記図２５に示される雑草防止方法では、遮光性シート２５００が折り曲げられた状態でＵ字溝２４００に貼りつけられるので、遮光性シート２５００が平面状態に戻ろうとする。その結果、接着剤が乾燥する前に、当該遮光性シートがＵ字溝２４００からはがれてしまう。そのため、当該遮光性シート２５００を設置する者（以下、設置者と称す）は、接着剤が乾燥するまで、当該遮光性シート２５００を二つに折り曲げた状態でＵ字溝２４００に押さえつけなければならない。そのため、当該雑草防止方法は、当該遮光性シート２５００の設置に、多大な労力と時間とが必要になるという問題点を有する。
【０００７】
また、図２７に示される雑草防止方法では、遮光性シート２７００が平面状態に戻ろうとする。その結果、接着剤が乾燥する前に、コンクリート面２６０５とブロック塀２６１０との接合面付近において、図３０に示されるように当該遮光性シート２７００がはがれてしまう。そこで、設置者は、図２５の場合と同様に、接着剤が乾燥するまで、当該遮光性シート２７００を二つに折り曲げた状態でブロック塀２６００に押さえつけなければならない。そのため、図２７に示される雑草防止方法は、上記図２５の場合と同様に、当該遮光性シート２７００の設置に、多大な労力と時間とが必要になるという問題点を有する。
【０００８】
また、図２９に示される雑草防止方法では、設置者は、遮光性シート２９００を縁石２８００の曲面に沿わせて貼りつけなければならない。そのため、設置者は、当該遮光性シート２９００の裏面全体にむらなく接着剤を塗布しなければならなかった。また、図２９に示される雑草防止方法では、図２５および図２７の雑草防止方法と同様に、遮光性シート２９００が折り曲げられて縁石２８００に貼りつけられるので、当該遮光性シート２９００が平面状態に戻ろうとする。そのため、図２９に示される雑草防止方法は、上記図２５および図２７の場合と同様に、当該遮光性シート２９００の設置に、多大な労力と時間とが必要になるという問題点を有する。
【０００９】
そこで、本発明の目的は、Ｕ字溝のように遮光性シートを折り曲げて設置しなければならない場所であっても、より簡単に短時間で設置することが可能な雑草防止板を提供することである。
【００１０】
【課題を解決するための手段および発明の効果】
第１の発明は、地面上に設置されており、その断面が略垂直に屈曲した屈曲部を有する構造物に対して施工され、当該構造物の屈曲部の接合隙間から発生する雑草を防止するための雑草防止板であって、
１枚の金属板を略垂直に折り曲げて構成され、構造物上に載置されたときにその一方主面が当該構造物の屈曲部を形成する面に倣った状態になるベース板と、
ベース板の一方主面側に貼り合わされる遮光性シートとを備え、
遮光性シートが、構造物に接しつつ、構造物の接合隙間を塞ぐように載置される。
【００１１】
第１の発明によれば、遮光性シートがベース板に貼りつけられて折り曲げられた状態で、屈曲部を有する構造物に設置されるので、当該遮光性シートの復元力によって構造物から当該遮光性シートがはがれることがなくなる。その結果、当該遮光性シートを設置する者は、当該遮光性シートの設置時に長時間にわたり当該遮光性シートを押さえつける必要がなくなる。
【００１２】
第２の発明は、第１の発明に従属する発明であって、各ベース板の折り目が一直線になるように、複数が連結した状態で使用されることを特徴とする。
【００１３】
第２の発明によれば、雑草防止板が、連結して使用されるので、長い隙間を有する構造物に対しても、当該雑草防止板を適用することが可能となる。
【００１４】
第３の発明は、第２の発明に従属する発明であって、遮光性シートの形状は、連結された状態で遮光性シート同士の継ぎ目がベース板の下に位置する形状であることを特徴とする。
【００１５】
第３の発明によれば、遮光性シートの継ぎ目が、ベース板の下に隠れるので、当該遮光性シートの継ぎ目から雑草の種子や光が入り込むことが防止される。その結果、屈曲部の接合隙間において雑草が発生することが効果的に防止される。
【００１６】
第４の発明は、第３の発明に従属する発明であって、連結された状態で隣接する遮光性シートの一方がベース板の継ぎ目から他方の遮光性シート方向に進出し、連結された状態で隣接する遮光性シートの他方が当該ベース板の継ぎ目から一方の遮光性シートが進出した分だけ後退していることを特徴とする。
【００１７】
第４の発明によれば、連結された状態で隣接する遮光性シートの一方がベース板の継ぎ目から他方の遮光性シート方向に進出し、連結された状態で隣接する遮光性シートの他方が当該ベース板の継ぎ目から一方の遮光性シートが進出した分だけ後退しているので、複数の雑草防止板を連結したときに、各雑草防止板がきっちりと噛み合うようになる。より具体的には、遮光性シート同士が隙間なく接合されれば、ベース板も接合されるようになる。これにより、各雑草防止板間の隙間がなくなり、より効果的に、屈曲部の接合隙間において雑草が発生することが防止される。
【００１８】
第５の発明は、第２の発明に従属する発明であって、遮光性シートは、ベース板の折り目から見て垂直方向に当該ベース板から進出した糊しろ部分を備えていることを特徴とする。
【００１９】
第５の発明によれば、遮光性シートが糊しろを有するので、当該雑草防止板を構造物に対して密着させることが可能となる。より具体的には、遮光性シートは、ベース板に張り合わされているので、凹凸のある面に密着させることは困難である。これに対して、可撓性を有する糊しろが設けられることで、凹凸のある面に対しても雑草防止板を密着させることが可能となる。その結果、屈曲部の接合隙間において雑草が発生することが効果的に防止される
【００２０】
第６の発明は、第５の発明に従属する発明であって、連結した状態で隣接する糊しろ部分同士の継ぎ目を覆うための舌部が、糊しろ部分に設けられていることを特徴とする。
【００２１】
第６の発明によれば、連結した状態で隣接する糊しろ部分同士の継ぎ目が舌部により隠されるので、当該継ぎ目から雑草の種子や光が入り込むことが防止される。その結果、屈曲部の接合隙間において雑草が発生することが効果的に防止される
【００２２】
第７の発明は、第１の発明に従属する発明であって、遮光性シートは、折り曲げられたベース板の山側に貼りつけられることを特徴とする。
【００２３】
第７の発明によれば、遮光性シートが折り曲げられたベース板の山側に貼り付けられるので、当該雑草防止板をコンクリート塀に設置することが可能となる。
【００２４】
第８の発明は、第１の発明に従属する発明であって、遮光性シートは、折り曲げられたベース板の谷側に貼りつけられることを特徴とする。
【００２５】
第８の発明によれば、遮光性シートが折り曲げられたベース板の谷側に貼り付けられるので、当該雑草防止板をＵ字溝に設置することが可能となる。
【００２６】
第９の発明は、地面上に設置されており、その断面が略垂直に屈曲した屈曲部を有する構造物に対して施工され、当該構造物の屈曲部の接合隙間から発生する雑草を防止するための雑草防止板であって、
屈曲部の角は、面取りされており、
１枚の金属板により構成され、屈曲部を形成する一方の面上に載置される第１のベース板と、
１枚の金属板により構成され、屈曲部を形成する他方の面上に載置される第２のベース板と、
第１のベース板と第２のベース板とを接合する可撓性シートと、
第１のベース板の一方側面側に貼り合わされる遮光性シートとを備え、
遮光性シートが構造物の接合隙間を塞ぎ、可撓性シートが構造物の面取りされた屈曲部に倣って構造物に貼り合わされて載置される。
【００２７】
第９の発明によれば、第１のベース板と第２のベース板とが可撓性シートにより接合されているので、第１のベース板と第２のベース板との間に丸みを持たせた部分を作ることが可能となる。その結果、縁石のような面取りが施された構造物に対して、可撓性シートを貼り付けて当該雑草防止板を設置することが可能となる。
【００２８】
【発明の実施の形態】
（第１の実施形態）以下に、本発明の第１の実施形態について図面を参照しながら説明する。本発明の第１の実施形態にかかる雑草防止板は、図２４に示されるようなＵ字溝２４００に設置されるものである。それでは、以下に、図１および図２を用いて、本実施形態にかかる雑草防止板の作成手順について説明する。
【００２９】
本実施形態にかかる雑草防止板は、１枚の金属製のベース板と、１枚の遮光性シートにより構成される。図１（ａ）は、上記ベース板を示した図であり、図１（ｂ）は、当該ベース板が折り曲げられた状態を示した図である。
【００３０】
まず、本実施形態にかかる雑草防止板の作成者は、図１（ａ）のベース板を図１（ｂ）に示されるように、その中央部付近で二つに折り曲げる。次に、作成者は、図２（ａ）の遮光性シートに接着剤を塗布する。遮光性シートに接着剤を塗布した作成者は、図２（ｂ）に示される様にベース板に遮光性シートを貼りつける。最後に、作成者は、当該遮光性シートとベース板とをリベットにより固定する。これにより、本実施形態にかかる雑草防止板が完成する。
【００３１】
それでは、以下に、本実施形態にかかる雑草防止板のバリエーションについて、図面を参照しながら説明する。図３は、本実施形態にかかる雑草防止板のバリエーションを示したものである。このように雑草防止板にバリエーションが存在するのは、雑草防止板が連結して使用されるためである。以下に、図３に示された各雑草防止板について説明する。
【００３２】
まず、図３（ａ）に示される雑草防止板は、遮光性シートの両端がベース板からはみ出ており、タイプＡ雑草防止板３００と称される。次に、図３（ｂ）に示される雑草防止板は、遮光性シートの一方がベース板からはみ出ており、他端がベース板の下の点線部分で途切れている物であり、タイプＢ雑草防止板３０５と称される。図３（Ｃ）に示される雑草防止板は、遮光性シートの両端がベース板の点線部分で途切れており、タイプＣ雑草防止板３１０と称される。それでは、以下に、図３に示される雑草防止板が連結して使用される場合について説明する。
【００３３】
図４（ａ）は、タイプＡ雑草防止板３００とタイプＢ雑草防止板３０５とが連結されたときの外観斜視図であり、図４（ｂ）は、タイプＡ雑草防止板３００とタイプＣ雑草防止板３１０とが連結されたときの外観斜視図である。それでは、以下に、これらの詳細について説明する。
【００３４】
まず、図４（ａ）の連結型雑草防止板について説明する。当該図４（ａ）に示される連結型雑草防止板では、その右端にタイプＡ雑草防止板３００が使用され、それ以外の部分にはタイプＢ雑草防止板３０５が使用される。より具体的には、タイプＡ雑草防止板３００が、右端に配置される。次に、タイプＢ雑草防止板３０５が、当該タイプＡ雑草防止板３００の左側に配置される。この際、タイプＢ雑草防止板３０５は、そのベース板がタイプＡ雑草防止板３００左側の遮光性シートの上に被るように配置される。その後、タイプＢ雑草防止板３０５が、同様の手順により左方向に次々と配置される。これにより、図４（ａ）に示される連結型雑草防止板が完成する。なお、図４（ａ）に示される連結型雑草防止板の右側末端には必ずタイプＡ雑草防止板３００が用いられる。これは、タイプＢ雑草防止板３０５が、右側末端に用いられると、ベース板の下の遮光性シートがない部分から、光や雑草の種子が入り込んでしまうからである。
【００３５】
次に、図４（ｂ）の連結型雑草防止板について説明する。当該図４（ｂ）に示される連結型雑草防止板では、タイプＡ雑草防止板３００とタイプＣ雑草防止板３１０とが交互に配置される。より具体的には、当該連結型雑草防止板の右端には、タイプＡ雑草防止板３００が配置される。次に、タイプＣ雑草防止板３１０のベース板がタイプＡ雑草防止板３００の左側の遮光性シートのはみ出した部分に被せられるようにして、タイプＣ雑草防止番３１０が配置される。次に、タイプＡ雑草防止板３００が、そのはみ出した遮光性シートがタイプＣ雑草防止板３１０のベース板の下にもぐりこむようにして配置される。その後、タイプＣ雑草防止板３１０とタイプＡ雑草防止板３００とが同様の手順により交互に配置される。なお、図４（ｂ）に示される連結型雑草防止板の両端には必ずタイプＡ雑草防止板３００が用いられる。これは、タイプＣ雑草防止板３１０が、両端に用いられると、ベース板の下の遮光性シートがない部分から、光や雑草の種子が入り込んでしまうからである。
【００３６】
なお、図４（ａ）および図４（ｂ）いずれの場合にも、遮光性シートのベース板に重ねられる部分の面には、接着剤が塗布される。これにより、各雑草防止板同士が接着される。以上で、雑草防止板が連結して使用される場合についての説明を終了する。
【００３７】
それでは、以下に、各雑草防止板の設置方法について図面を参照しながら説明する。図５は、タイプＡ雑草防止板３００がＵ字溝２６００に設置されたときの外観斜視図である。当該タイプＡ雑草防止板３００がＵ字溝２６００に設置される場合には、まず、遮光性シートのベース板からはみ出した部分の裏面に接着剤が塗布される。次に、図５に示されるようにタイプＡ雑草防止板３００がＵ字溝２６００に設置される。最後に、ベース板にアンカーボルトまたは杭が打ち込まれて、Ｕ字溝上２６００にタイプＡ雑草防止板３００が固定される。以上で、タイプＡ雑草防止板３００の設置方法についての説明を終了する。
【００３８】
なお、タイプＢ雑草防止板３０５およびタイプＣ雑草防止板３１０も、タイプＡ雑草防止板３００と同様の手順により、Ｕ字溝上に設置される。
【００３９】
以上のように、本発明の第１の実施形態にかかる雑草防止板によれば、折り曲げられたベース板に遮光性シートが貼りつけられるので、当該雑草防止板の設置時に、設置者は、遮光性シートがはがれないように長時間押さえつづける必要がなくなる。その結果、本実施形態により、当該雑草防止板の設置にかかる時間および労力が削減され、ひいては、設置工費の削減にもつながる。
【００４０】
また、本実施形態にかかる雑草防止板では、各雑草防止版の遮光性シートの接合部分がベース板の下に隠れるので、当該接合部分から雑草の種子や光が入り込むことが防止される。
【００４１】
さらに、本実施形態にかかる雑草防止板では、接着剤を塗布する部分は、遮光性シートがベース板からはみ出た部分だけでよい。その結果、接着剤の塗布に要する時間が削減され、当該雑草防止板の設置にかかる時間が短縮化される。
【００４２】
ここで、第１の実施形態の他の例について図面を参照しながら説明する。図６（ａ）は、本実施形態の他の例にかかるタイプＡ雑草防止板６００を示した図であり、図６（ｂ）は、本実施形態の他の例にかかるタイプＢ雑草防止板６０５を示した図である。これらの雑草防止板は、図３に示される雑草防止板と異なり、遮光性シートが、ベース板の折り目方向に対して垂直方向奥向きにベース板から突出している。当該雑草防止板を設置する者は、遮光性シートの突出した部分（以下、糊しろ部分と称す）の裏面に接着剤を塗布して、コンクリート面に貼りつけて、当該雑草防止板を設置する。これにより、当該雑草防止板をＵ字溝２６００およびコンクリート面２６０５に対してより密着させることが可能となる。
【００４３】
それでは、図６に示されるタイプＡ雑草防止板６００とタイプＢ雑草防止板６０５とが連結された場合について、図面を参照しながら説明する。図７は、図６に示されるタイプＡ雑草防止板６００とタイプＢ雑草防止板６０５とが連結されたときの外観斜視図である。
【００４４】
図６に示されるタイプＡ雑草防止板６００とタイプＢ雑草防止板６０５とは、図４の（ａ）の場合と同様の手順により連結される。これにより、ベース板の折り目方向に対して垂直方向の辺から光や雑草の種子が入り込むことが効果的に防止される。
【００４５】
なお、タイプＣ雑草防止板についても、図６のタイプＡ雑草防止板およびタイプＢ雑草防止板と同様に、ベース板の折り目方向に対して垂直方向に遮光性シートを突出させることができる。
【００４６】
なお、図６に示される雑草防止板において、遮光性シートは、ベース板の折り目方向に対して垂直方向下向きにベース板から突出させることも可能である。
【００４７】
ここで、図６の雑草防止板は、図７の楕円部分に囲まれた遮光性シートの接合部７００が露出しているという問題点を有する。このように、接合部７００が露出していると、当該接合部７００から光や雑草の種子が入りこんで、Ｕ字溝の隙間から雑草が発生してしまうおそれがある。
【００４８】
そこで、本実施形態にかかる雑草防止板の他の例として、図８に示されるタイプＢ雑草防止板８００が提案される。当該雑草防止板は、図６に示されるタイプＢ雑草防止板６０５を改良したものであり、遮光性シートの右辺の上部に舌部８０５が設けられている。それでは、当該図８に示されるタイプＢ雑草防止板８００の使用方法について、図面を参照しながら説明する。
【００４９】
図９は、図６に示されるタイプＡ雑草防止板６００と、図８に示されるタイプＢ雑草防止板８００とが連結されたときの外観斜視図である。図８に示されるタイプＢ雑草防止板８００が用いられると、図９に示されるように遮光性シート同士の接合部分上に図８のタイプＢ雑草防止板の舌部８０５が重なってくる。これにより、遮光性シート同士の接合部分が露出することがなくなり、当該接合部分から雑草の種子や光が入り込むことが防止される。
【００５０】
なお、タイプＣ雑草防止板６１０についても、図８に示されるタイプＢ雑草防止板８００と同様に舌部８０５を設けることが可能である。
【００５１】
なお、この場合、設置者は、当該雑草防止板の設置時において、当該舌部８０５にアンカーボルトまたは杭を打ち込むことができる。これにより、二つの雑草防止板がより強固に連結されることが可能となる。
【００５２】
（第２の実施形態）以下に、本発明の第２の実施形態について図面を参照しながら説明する。本発明の第２の実施形態にかかる雑草防止板は、図２６に示されるようなブロック塀２６００に設置されるものである。図１０は、本実施形態にかかる雑草防止板についてのバリエーションを示した図である。以下、図１０に示される雑草防止板について説明する。
【００５３】
まず、図１０（ａ）に示される雑草防止板（以下、タイプＡ雑草防止板と称す）１０００は、第１の実施形態の図３（ａ）に対応するものであり、遮光性シートの両端がベース板から突出しているものである。また、図１０（ｂ）に示される雑草防止板（以下、タイプＢ雑草防止板と称す）１００５は、第１の実施形態の図３（ｂ）に対応するものであり、遮光性シートの一方がベース版から突出し、他方がベース板の点線の部分で途切れているものである。また、図１０（ｃ）に示される雑草防止板（以下、タイプＣ雑草防止板と称す）１０１０は、第１の実施形態の図３（ｃ）に対応するものであり、遮光性シートの両端がベース板の点線の部分で途切れているものである。これらのタイプＡ雑草防止板１０００、タイプＢ雑草防止板１００５およびタイプＣ雑草防止板１０１０は、第１の実施形態と同様に連結されて使用される。それでは、以下に、各雑草防止板が連結されたときについて、図面を参照しながら説明する。
【００５４】
図１１（ａ）および（ｂ）は、本実施形態にかかる雑草防止板が連結されたときの外観斜視図である。図１１（ａ）に示される連結型雑草防止板は、第１の実施形態の図４（ａ）と同様に、右端にタイプＡ雑草防止板１０００が使用されており、それ以外の部分は、タイプＢ雑草防止板１００５が使用されている。また、図１１（ｂ）に示される連結型雑草防止板は、第１の実施形態の図４（ｂ）と同様に、タイプＡ雑草防止板１０００とタイプＣ雑草防止板１０１０とが交互に連結されている。なお、本実施形態にかかる連結型雑草防止板の連結方法等は、第１の実施形態と同様であるので、説明を省略する。
【００５５】
また、本実施形態にかかるタイプＡ雑草防止板１０００は、図１２に示される様に配置される。この際、第１の実施形態と同様に、遮光性シートのベース板からはみ出した部分の裏側に接着剤が塗布され、ベース板にアンカーボルトまたは杭が打ち込まれることで、ブロック塀に固定される。
【００５６】
以上のように、本実施形態にかかる雑草防止板によれば、第１の実施形態にかかる雑草防止板と同様に、設置者は、遮光性シートがはがれないように長時間押さえつづける必要がなくなる。その結果、本実施形態により、当該雑草防止板の設置にかかる時間および労力が削減され、ひいては、設置工費の削減にもつながる。
【００５７】
また、本実施形態にかかる雑草防止板では、第１の実施形態にかかる雑草防止板と同様に、各雑草防止版の遮光性シートの接合部分がベース板の下に隠れるので、当該接合部分から雑草の種子や光が入り込むことが防止される。
【００５８】
さらに、本実施形態にかかる雑草防止板では、第１の実施形態にかかる雑草防止板と同様に、接着剤を塗布する部分は、遮光性シートがベース板からはみ出た部分だけでよい。その結果、接着剤の塗布に要する時間が削減され、当該雑草防止板の設置にかかる時間が短縮化される。
【００５９】
また、本実施形態にかかる雑草防止板においても、第１の実施形態にかかる雑草防止板と同様に、図１３（ａ）および（ｂ）に示されるように、遮光性シートをベース板折り目方向に対してベース板から垂直方向に突出させて、糊しろ部分を設けてもよい。これにより、第１の実施形態と同様に、雑草防止板をコンクリート面に密着させることが可能となる。
【００６０】
また、本実施形態にかかる雑草防止板においても、第１の実施形態にかかる雑草防止板と同様に、図１４のように遮光性シートの糊しろ部分に舌部１４００を設けてもよい。これにより、第１の実施形態と同様に、遮光性シート同士の接合部分が露出することがなくなり、当該接合部分から雑草の種子や光が入り込むことが防止される。
【００６１】
（第３の実施形態）以下に、本発明の第３の実施形態について図面を参照しながら説明する。本発明の第３の実施形態にかかる雑草防止板は、図２８に示されるような縁石２８００に設置されるものである。それでは、以下に、図１５を用いて、本実施形態にかかる雑草防止板の作成手順について説明する。
【００６２】
図１５（ａ）は、第１のベース板１５００を示した図である。図１５（ｂ）は、第２のベース板１５０５を示した図である。図１５（ｃ）は、ラバーシート１５１０を示した図である。図１５（ｄ）は、第１の遮光性シート１５１５を示した図である。図１５（ｅ）は、第２の遮光性シート１５２０を示した図である。
【００６３】
ここで、図１６を用いて、本実施形態にかかる雑草防止板の作成手順について説明する。まず、作成者は、第１のベース板１５００と第１の遮光性シート１５１５との間に、ラバーシート１５１０をはさみこんで、これらを接着剤およびリベットにより固定する。次に、作成者は、第２のベース板１５０５と第２の遮光性シート１５２０との間に、ラバーシート１５１０をはさみこんで、これらを接着剤およびリベットにより固定する。これにより、図１６に示される雑草防止板が完成する。
【００６４】
それでは、以下に、本実施形態にかかる雑草防止板のバリエーションについて、図面を参照しながら説明する。図１７は、本実施形態にかかる雑草防止板のバリエーションを示したものである。このように雑草防止板にバリエーションが存在するのは、雑草防止板が連結して使用されるためである。以下に、図１７に示された各雑草防止板について説明する。
【００６５】
まず、図１７（ａ）に示される雑草防止板は、第１および第２の遮光性シートの両端が第１および第２のベース板からはみ出ており、タイプＡ雑草防止板１７００と称される。次に、図１７（ｂ）に示される雑草防止板は、第１および第２の遮光性シートの一方が第１および第２のベース板からはみ出ており、他端が第１および第２のベース板の下の点線部分で途切れており、タイプＢ雑草防止板１７０５と称される。図１７（ｃ）に示される雑草防止板は、第１および第２の遮光性シートの両端が、第１および第２のベース版の点線の部分で途切れており、タイプＣ雑草防止板１７１０と称される。それでは、以下に、図１７に示される雑草防止板が連結して使用される場合について説明する。
【００６６】
図１８（ａ）は、タイプＡ雑草防止板１７００とタイプＢ雑草防止板１７１０とが連結されたときの外観斜視図であり、図１８（ｂ）は、タイプＡ雑草防止板１７００とタイプＣ雑草防止板１７１０とが連結されたときの外観斜視図である。それでは、以下に、これらの詳細について説明する。
【００６７】
まず、図１８（ａ）の連結型雑草防止板について説明する。当該図１８（ａ）に示される連結型雑草防止板では、その右端にタイプＡ雑草防止板１７００が使用され、それ以外の部分にはタイプＢ雑草防止板１７０５が使用される。より具体的には、当該連結型雑草防止板の右端には、タイプＡ雑草防止板１７００が配置される。次に、タイプＢ雑草防止板１７０５が、当該タイプＡ雑草防止板１７００の左側に配置される。この際、タイプＢ雑草防止板１７０５は、その第１のベース板がタイプＡ雑草防止板１７００左側の第１の遮光性シートの上に被り、その第２のベース板がタイプＡ雑草防止板１７００左側の第２の遮光性シートの上に被り、さらに、タイプＡ雑草防止板１７００のラバーシートがタイプＢ雑草防止板１７０５のラバーシートの上に被るよう配置される。その後、タイプＢ雑草防止板１７０５が、同様の手順により左方向に次々と配置される。これにより、図１８（ａ）に示される連結型雑草防止板が完成する。なお、図１８（ａ）に示される連結型雑草防止板の右側末端には必ずタイプＡ雑草防止板１７００が用いられる。これは、タイプＢ雑草防止板１７０５が、右側末端に用いられると、第１および第２のベース板の下の遮光性シートがない部分から、光や雑草の種子が入り込んでしまうからである。
【００６８】
次に、図１８（ｂ）の連結型雑草防止板について説明する。当該図１８（ｂ）に示される連結型雑草防止板では、タイプＡ雑草防止板１７００とタイプＣ雑草防止板１７１０とが交互に配置される。より具体的には、当該連結型雑草防止板の右端には、タイプＡ雑草防止板１７００が配置される。次に、タイプＣ雑草防止板１７１０が、その第１のベース板がタイプＡ雑草防止板１７００の左側の第１の遮光性シートのはみ出した部分に被せられ、その第１のベース板がタイプＣ雑草防止板１７１０の第２の遮光性シートのはみ出した部分に被せられ、タイプＡ雑草防止板１７００のラバーシートがタイプＣ雑草防止板１７１０のラバーシートに被せられるようにして配置される。次に、タイプＡ雑草防止板１７００は、そのはみ出した第１および第２の遮光性シートおよびラバーシートがタイプＣ雑草防止板１７１０の第１および第２のベース板およびラバーシートの下にもぐりこむようにして配置される。その後、タイプＣ雑草防止板１７１０とタイプＡ雑草防止板１７００とが同様の手順により交互に配置される。なお、図１８（ｂ）に示される連結型雑草防止板の両端には必ずタイプＡ雑草防止板１７００が用いられる。これは、タイプＣ雑草防止板１７１０が、両端に用いられると、ベース板の下の遮光性シートがない部分から、光や雑草の種子が入り込んでしまうからである。
【００６９】
なお、図１８（ａ）および図１８（ｂ）いずれの場合にも、遮光性シートのベース板に重ねられる部分の面には、接着剤が塗布される。これにより、各雑草防止板同士が接着される。以上で、雑草防止板が連結して使用される場合についての説明を終了する。
【００７０】
それでは、以下に、各雑草防止板の設置方法について図面を参照しながら説明する。図１９は、タイプＡ雑草防止板１７００板が縁石２８００に設置されたときの外観斜視図である。当該タイプＡ雑草防止板１７００が縁石２８００に設置される場合には、まず、第１の遮光性シート１５１５の内、第１のベース板１５００からはみ出した部分の裏面に接着剤が塗布される。次に、第２の遮光性シート１５２０の内、第２のベース板１５０５からはみ出した部分の裏面に接着剤が塗布される。さらに、ラバーシート１５１０の裏側に接着剤が塗布される。次に、タイプＡ雑草防止板１７００が、図５に示されるように縁石２８００の曲面にラバーシート１５１０が貼りつくように設置される。最後に、第１のベース板１５００および第２のベース板１５０５にアンカーボルトまたは杭が打ち込まれて、縁石２８００上にタイプＡ雑草防止板１７００が固定される。以上で、タイプＡ雑草防止板１７００の設置方法についての説明を終了する。
【００７１】
なお、タイプＢ雑草防止板１７０５およびタイプＣ雑草防止板１７１０も、タイプＡ雑草防止板１７００と同様の手順により、縁石２８００上に設置される。
【００７２】
以上のように、本発明の第３の実施形態にかかる雑草防止板によれば、折り曲げられたベース板に遮光性シートが貼りつけられるので、当該雑草防止板の設置時に、設置者は、遮光性シートがはがれないように長時間押さえつづける必要がなくなる。その結果、本実施形態により、当該雑草防止板の設置にかかる時間および労力が削減され、ひいては、設置工費の削減にもつながる。
【００７３】
また、本実施形態にかかる雑草防止板では、各雑草防止版の遮光性シートの接合部分がベース板の下に隠れるので、当該接合部分から雑草の種子や光が入り込むことが防止される。
【００７４】
さらに、本実施形態にかかる雑草防止板では、接着剤を塗布する部分は、遮光性シートがベース板からはみ出た部分の裏側およびラバーシートの裏側だけでよい。その結果、接着剤の塗布に要する時間が削減され、当該雑草防止板の設置にかかる時間が短縮化される。
【００７５】
ここで、第３の実施形態の他の例について図面を参照しながら説明する。図２０（ａ）は、本実施形態の他の例にかかるタイプＡ雑草防止板２０００を示した図であり、図２０（ｂ）は、本実施形態の他の例にかかるタイプＢ雑草防止板２００５を示した図である。これらの雑草防止板は、図１７に示される雑草防止板と異なり、第１の遮光性シートが、当該雑草防止板のの折り目方向に対して垂直方向奥向きに第１のベース板から突出している。当該雑草防止板を設置する者は、第１の遮光性シートの突出した部分（以下、糊しろ部分と称す）の裏面に接着剤を塗布して、コンクリート面に貼りつけて、当該雑草防止板を設置する。これにより、当該雑草防止板を縁石およびコンクリート面に対してより密着させることが可能となる。
【００７６】
それでは、図２０に示されるタイプＡ雑草防止板２０００とタイプＢ雑草防止板２００５とが連結された場合について、図面を参照しながら説明する。図２１は、図２０に示されるタイプＡ雑草防止板２０００とタイプＢ雑草防止板２００５とが連結されたときの外観斜視図である。
【００７７】
図２０に示されるタイプＡ雑草防止板２０００とタイプＢ雑草防止板２００５とは、図１８の（ａ）の場合と同様の手順により連結される。これにより、ベース板の折り目方向に対して垂直方向の辺から光や雑草の種子が入り込むことが効果的に防止される。
【００７８】
なお、タイプＣ雑草防止板１７１０についても、図２０のタイプＡ雑草防止板２０００およびタイプＢ雑草防止板２００５と同様に、ベース板の折り目方向に対して垂直方向に遮光性シートを突出させることができる。
【００７９】
なお、図２０に示される雑草防止板において、遮光性シートは、ベース板の折り目方向に対して垂直方向下向きにベース板から突出させることも可能である。
【００８０】
ここで、図２０の雑草防止板は、図２１の楕円部分に囲まれた遮光性シートの接合部２１００が露出しているという問題点を有する。このように、接合部２１００が露出していると、当該接合部２１００から光や雑草の種子が入りこんで、縁石２８００の隙間から雑草が発生してしまうおそれがある。
【００８１】
そこで、本実施形態にかかる雑草防止板の他の例として、図２２に示されるタイプＢ雑草防止板２２００が提案される。当該雑草防止板は、図２０に示されるタイプＢ雑草防止板２００５を改良したものであり、第１の遮光性シートの左上部分に舌部２２０５が設けられている。それでは、当該図２２に示されるタイプＢ雑草防止板の使用方法について、図面を参照しながら説明する。
【００８２】
図２３は、図２０に示されるタイプＡ雑草防止板２０００と、図２２に示されるタイプＢ雑草防止板２２００とが連結されたときの外観斜視図である。図２２に示されるタイプＢ雑草防止板２２００が用いられると、図２３に示されるように第１の遮光性シート同士の接合部分上に図２２のタイプＢ雑草防止板の舌部２２０５が重なってくる。これにより、遮光性シート同士の接合部分が露出することがなくなり、当該接合部分から雑草の種子や光が入り込むことが防止される。
【００８３】
なお、タイプＣ雑草防止板についても、図２２に示されるタイプＢ雑草防止板２２００と同様に舌部２２０５を設けることが可能である。
【００８４】
なお、この場合、設置者は、当該雑草防止板の設置時において、当該舌部２２０５にアンカーボルトまたは杭を打ち込むことができる。これにより、二つの雑草防止板がより強固に連結されることが可能となる。
【図面の簡単な説明】
【図１】第１の実施形態にかかる雑草防止板のベース板を示した図面である。
【図２】第１の実施形態にかかる遮光性シートおよび雑草防止板を示した図である。
【図３】第１の実施形態にかかる雑草防止板のバリエーションを示した図である。
【図４】第１の実施形態にかかる雑草防止板を連結したときの外観斜視図である。
【図５】第１の実施形態にかかるタイプＡ雑草防止板を設置したときの外観斜視図である。
【図６】第１の実施形態にかかるタイプＡ雑草防止板およびタイプＢ雑草防止板の他の例を示した図である。
【図７】図６に示されるタイプＡ雑草防止板およびタイプＢ雑草防止板が接続されたときの図面を示したものである。
【図８】第１の実施形態にかかるタイプＢ雑草防止板の更なる他の例を示した図である。
【図９】図６に示されるタイプＡ雑草防止板と図８に示されるタイプＢ雑草防止板とを接続したときの外観斜視図である。
【図１０】本発明の第２の実施形態にかかる雑草防止板のバリエーションを示した図である。
【図１１】第２の実施形態にかかる雑草防止板を連結したときの外観斜視図である。
【図１２】第２の実施形態にかかる雑草防止板を設置したときの外観斜視図である。
【図１３】第２の実施形態にかかるタイプＡ雑草防止板およびタイプＢ雑草防止板の他の例を示した図である。
【図１４】第２の実施形態にかかるタイプＢ雑草防止板の更なる他の例を示した図である。
【図１５】第３の実施形態にかかる雑草防止板の各パーツを示した図面である。
【図１６】第３の実施形態にかかる雑草防止板の外観斜視図である。
【図１７】本発明の第３の実施形態にかかる雑草防止板のバリエーションを示した図である。
【図１８】第３の実施形態にかかる雑草防止板を連結したときの外観斜視図である。
【図１９】第３の実施形態にかかる雑草防止板を設置したときの外観斜視図である。
【図２０】第３の実施形態にかかるタイプＡ雑草防止板およびタイプＢ雑草防止板の他の例を示した図である。
【図２１】図２０に示されるタイプＡ雑草防止板とタイプＢ雑草防止板とを連結したときの外観斜視図である。
【図２２】第３の実施形態にかかるタイプＢ雑草防止板の更なる他の例を示した図である。
【図２３】図２０に示されるタイプＡ雑草防止板と図２２に示されるタイプＢ雑草防止板とを連結したときの外観斜視図である。
【図２４】Ｕ字溝を含んだ構造物の一部断面を含んだ外観斜視図である。
【図２５】Ｕ字溝に遮光性シートを貼り付けたときの一部断面を含んだ外観斜視図である。
【図２６】ブロック塀を含んだ構造物の一部断面を含んだ外観斜視図であるである。
【図２７】ブロック塀に遮光性シートを貼りつけたときの一部断面を含んだ外観斜視図である。
【図２８】縁石を含んだ構造物の一部断面を含んだ外観斜視図である。
【図２９】縁石に遮光性シートを貼りつけたときの一部断面を含んだ外観斜視図図である。
【図３０】ブロック塀に遮光性シートを貼りつけたときの断面図である。
【符号の説明】
３００、６００、１０００、１７００、２０００　タイプＡ雑草防止板
３０５、６０５、８００、１００５、１７０５、２００５、２２００　タイプＢ雑草防止板
３１０、１０１０、１７１０、２０１０　タイプＣ雑草防止板
７００、２１００　接合部
８０５、１４００、２２０５　舌部
１５００　第１のベース板
１５０５　第２のベース板
１５１０　ラバーシート
１５１５　第１の遮光性シート
１５２０　第２の遮光性シート
２４００　Ｕ字溝
２４０５　コンクリート面
２４１０　砂利
２６００　コンクリート塀
２６０５　コンクリート面
２７００　遮光性シート
２８００　縁石
【図１】
2004027525.tif 000003
【図２】
2004027525.tif 000004
【図３】
2004027525.tif 000005
【図４】
2004027525.tif 000006
【図５】
2004027525.tif 000007
【図６】
2004027525.tif 000008
【図７】
2004027525.tif 000009
【図８】
2004027525.tif 000010
【図９】
2004027525.tif 000011
【図１０】
2004027525.tif 000012
【図１１】
2004027525.tif 000013
【図１２】
2004027525.tif 000014
【図１３】
2004027525.tif 000015
【図１４】
2004027525.tif 000016
【図１５】
2004027525.tif 000017
【図１６】
2004027525.tif 000018
【図１７】
2004027525.tif 000019
【図１８】
2004027525.tif 000020
【図１９】
2004027525.tif 000021
【図２０】
2004027525.tif 000022
【図２１】
2004027525.tif 000023
【図２２】
2004027525.tif 000024
【図２３】
2004027525.tif 000025
【図２４】
2004027525.tif 000026
【図２５】
2004027525.tif 000027
【図２６】
2004027525.tif 000028
【図２７】
2004027525.tif 000029
【図２８】
2004027525.tif 000030
【図２９】
2004027525.tif 000031
【図３０】
2004027525.tif 000032